(57)【要約】      （修正有）【課題】塵埃が容易にディスプレイ装置内部に侵入することがなく、しかも曇り防止（結露防止）機能のある接合構造、及びそのような接合構造を有するディスプレイ装置を提供する。【解決手段】表示装置を内蔵するケース１０の爪部１１は、凸状部２１の先端部の上面に当接する上爪１１ａと、凸状部２１の先端部の下面に当接する載置部１１ｂと、上爪１１ａと載置部１１ｂとを凸状部２１の先端部を挟持するように対向配置する結合部１１ｃと、からなり、載置部１１ｂの上面と凸状部２１の下面との間に、結合部側から載置部先端部にかけて形成される、ケース内の内部空間に連通する第１通路４０と、爪部１１ａの結合部の内側面と凸状部の先端部の前面とにより、第１通路４０と交差する方向に形成され、ケース外の外部空間に連通する第２通路４１と、第１通路４０と第２通路４１とを連結する連結流路４２と、が形成されている接合構造。【選択図】図６
2010145635.tif 000002
【特許請求の範囲】
【請求項１】
表示装置を内蔵するケースの上方周縁部に固設された複数の爪部と、前記ケースの前面開口部を覆うカバーの上方周縁部に固設された複数の凸状部とからなる、前記ケースと前記カバーの接合構造であって、
前記爪部は、前記凸状部の先端部の上面に当接する上爪と、前記上爪に対向して前記上方周縁部に設けられ、前記凸状部の先端部の下面に当接する載置部と、前記上爪と前記載置部とを前記凸状部の先端部を挟持するように対向配置する結合部と、からなり、
前記載置部の上面と前記凸状部の下面との間に、前記結合部側から前記載置部先端部にかけて形成される、前記ケース内の内部空間に連通する第１通路と、
前記爪部の結合部の内側面と前記凸状部の先端部の前面とにより、前記第１通路と交差する方向に形成され、ケース外の外部空間に連通する第２通路と、
前記第１通路と前記第２通路とを連通する連結流路と、が形成されている接合構造。  
【請求項２】
表示装置を内蔵するケースの上方周縁部に固設された複数の凸状部と、前記ケースの前面開口部を覆うカバーの上方周縁部に固設された複数の爪部とからなる、前記ケースと前記カバーの接合構造であって、
前記爪部は、前記凸状部の先端部の上面に当接する上爪と、前記上爪に対向して前記上方周縁部に設けられ、前記凸状部の先端部の下面に当接する載置部と、前記上爪と前記載置部とを前記凸状部の先端部を挟持するように対向配置する結合部と、からなり、
前記載置部の上面と前記凸状部の先端部の下面との間に、前記結合部側から前記載置部先端部にかけて形成される、前記ケース内の内部空間に連通する第１通路と、
前記爪部の結合部の内側面と前記凸状部の先端部の前面とにより、前記第１通路と交差する方向に形成され、ケース外の外部空間に連通する第２通路と、
前記第１通路と前記第２通路とを連通する連結流路と、が形成されている接合構造。
【請求項３】
前記第１通路は、前記載置部の上面に設けられる切欠部と前記爪部の下面とにより形成されるか、あるいは、前記爪部の下面に設けられる切欠部と前記載置部の上面とにより形成されることを特徴とする請求項１ないし２に記載の接合構造。
【請求項４】
前記第１通路は、前記載置部の上面に設けられる切欠部と前記爪部の下面とにより形成される場合には、前記載置部の先端方向に向けて末広がりに形成されており、前記凸状部の先端部の下面に設けられる切欠部と前記載置部の上面とにより形成される場合には、前記爪部の先端方向に向けて末広がりに形成されていることを特徴とする請求項３に記載の接合構造。
【請求項５】
前記凸状部は、前記爪部に先端が挟持される先端部と、前記爪部と爪部との間にあって、前記ケース又は前記カバーの上方周縁部に接着される接着部とを有していることを特徴とする請求項１ないし４に記載の接合構造。
【請求項６】
前記ケースと前記カバーとは、前記接着部の下面と、前記ケース又は前記カバーの上方周縁部であって前記載置部に連続する部位の上面とが接着されることにより、固定されることを特徴とする請求項１ないし５に記載の接合構造。
【請求項７】
前記接着が、振動融着あるいはレーザー融着によって行われることを特徴とする請求項５ないし６に記載の接合構造。
【請求項８】
請求項１ないし７に記載の接合構造を有するディスプレイ装置であって、前記接合構造が装置の最上面に位置し、装置の下部に空気取り入れ口を有することを特徴とするディスプレイ装置。
【発明の詳細な説明】
【技術分野】
【０００１】
本発明は、表示装置を内蔵するケースと該ケースの前面開口部を覆う透明なカバーとからなるディスプレイ装置に係り、該ケースと透明なカバーとの、装置内部の曇りを防止する接合構造、およびそのような接合構造を有するディスプレイ装置に関する。
【背景技術】
【０００２】
内部に表示装置を内蔵するディスプレイ装置は、該表示装置を内蔵するケースの開口部前面に、透明なカバー部材が設けられて、ケース内部が略密閉状態にされている。
このようなディスプレイ装置の場合、内部の曇り止め（結露防止）を目的に、ケースとカバーとの接合部に適宜通気孔が設けられる。（下記参考文献）
【０００３】
図９ないし１１に、このようなディスプレイ装置の従来例を示す。
図９に示すように、ＬＣＤなどからなる表示装置３を内蔵するケース１に、カバー２が設けられて、ディスプレイ装置が構成される。
【０００４】
図１０は、図９におけるカバー２を外した状態での、ケース１の接合部位ａの拡大図である。
図１０に示すように、ケース１の開口面には、カバー２が接合される接合面１ａと、通気孔となる溝部１ｂが形成されている。
図１１は、カバー２が接合された状態での、図１０におけるＡ−Ａ断面図である。
図１１に示すように、溝部１ｂによって形成される通気孔の空気が流入する経路長ｐは、たかだかケース１の厚みである２〜２．５ｍｍ程度と短く、しかもディスプレイ装置の上方に形成されているから、上方から舞い落ちてくる塵埃は、容易に装置内部に進入してしまうこととなる。  
【特許文献１】実開平６−２８６３８号公報
【発明の開示】
【発明が解決しようとする課題】
【０００５】
本発明は、このような従来技術の実情に鑑みてなされたもので、その目的は、装置上部に設けたとしても、塵埃が容易にディスプレイ装置内部に侵入することがなく、しかもディスプレイ内部での曇り防止（結露防止）機能のある接合構造、及びそのような接合構造を有するディスプレイ装置を提供することである。
【課題を解決するための手段】
【０００６】
本発明は、表示装置を内蔵するケースの上方周縁部に固設された複数の爪部と、前記ケースの前面開口部を覆うカバーの上方周縁部に固設された複数の凸状部とからなる、前記ケースと前記カバーの接合構造であって、前記爪部は、前記凸状部の先端部の上面に当接する上爪と、前記上爪に対向して前記上方周縁部に設けられ、前記凸状部の先端部の下面に当接する載置部と、前記上爪と前記載置部とを前記凸状部の先端部を挟持するように対向配置する結合部と、からなり、前記載置部の上面と前記凸状部の下面との間に、前記結合部側から前記載置部先端部にかけて形成される、前記ケース内の内部空間に連通する第１通路と、前記爪部の結合部の内側面と前記凸状部の先端部の前面とにより、前記第１通路と交差する方向に形成され、ケース外の外部空間に連通する第２通路と、前記第１通路と前記第２通路とを連通する連結流路と、が形成されている接合構造を特徴とする。
【０００７】
また、本発明は、表示装置を内蔵するケースの上方周縁部に固設された複数の凸状部と、前記ケースの前面開口部を覆うカバーの上方周縁部に固設された複数の爪部とからなる、前記ケースと前記カバーの接合構造であって、前記爪部は、前記凸状部の先端部の上面に当接する上爪と、前記上爪に対向して前記上方周縁部に設けられ、前記凸状部の先端部の下面に当接する載置部と、前記上爪と前記載置部とを前記凸状部の先端部を挟持するように対向配置する結合部と、からなり、前記載置部の上面と前記凸状部の下面との間に、前記結合部側から前記載置部先端部にかけて形成される、前記ケース内の内部空間に連通する第１通路と、前記爪部の結合部の内側面と前記凸状部の先端部の前面とにより、前記第１通路と交差する方向に形成され、ケース外の外部空間に連通する第２通路と、前記第１通路と前記第２通路とを連通する連結流路と、が形成されている接合構造を特徴とする。
【０００８】
また、本発明は、前記第１通路は、前記載置部の上面に設けられる切欠部と前記爪部の下面とにより形成されるか、あるいは、前記爪部の下面に設けられる切欠部と前記載置部の上面とにより形成されることを特徴とする。
【０００９】
また、本発明は、前記第１通路は、前記載置部の上面に設けられる切欠部と前記爪部の下面とにより形成される場合には、前記載置部の先端方向に向けて末広がりに形成されており、前記凸状部の先端部の下面に設けられる切欠部と前記載置部の上面とにより形成される場合には、前記爪部の先端方向に向けて末広がりに形成されていることを特徴とする。
【００１０】
また、本発明は、前記凸状部は、前記爪部に先端が挟持される先端部と、前記爪部と爪部との間にあって、前記ケース又は前記カバーの上方周縁部に接着される接着部とを有していることを特徴とする。
【００１１】
また、本発明は、前記ケースと前記カバーとは、前記接着部の下面と、前記ケース又は前記カバーの上方周縁部であって前記載置部に連続する部位の上面とが接着されることにより、固定されることを特徴とする。
【００１２】
また、本発明は、前記接着が、振動融着あるいはレーザー融着によって行われることを特徴とする。
【００１３】
また、本発明は、前記接合構造がディスプレイ装置の最上面に位置するとともに、装置の下部に空気取り入れ口を有することを特徴とする。
【発明の効果】
【００１４】
本発明は、通気孔の流路が接合構造内部の複数箇所で屈曲するとともに、経路長を長くすることができるので、内部に塵埃が進入することがなく、曇り防止（結露防止）機能を有し、しかも製品の外観に影響がない接合構造、及び該接合構造を有するディスプレイ装置を提供することができる。
【発明を実施するための最良の形態】
【００１５】
以下、本発明の実施の形態について、図面に基づいて説明する。
図１は本発明の実施の形態におけるディスプレイ装置の斜視図、図２は図１に係るディスプレイ装置を分解した分解図、図３は図１の接合部位ｂの斜め上方からの拡大図、図４は図３のＢ−Ｂ断面図、図５は爪部の上方からの透視図、図６は図５のＣ−Ｃ断面図、図７は図５における空気流入経路の説明図、図８は図６における空気流入通路の説明図である。
なお、図９ないし１１は従来例の説明図である。
【００１６】
先ず、本発明の第１の実施の形態を、図１〜９を用いて説明する。
図１及び図２に示すように、ＬＣＤ等からなる表示装置３０が、その支持枠３１により支持されて、ケース１０の背面に図示しない取付構造によって取り付けられる。
該ケース１０の前面開口部にカバー２０を接合するため、該ケースの周縁部上部に爪部１１、及び該カバー２０の周縁部上部の、爪部１１に対応する位置に凸状部２１が、それぞれ複数箇所に設けられている。
ケース１０は、ＡＢＳ樹脂等の黒色不透明な樹脂によって形成されて、表示装置３０の支持枠３１の支持機能と、外光からのバイザー機能を有している。
一方、カバー２０は、前面から表示装置３０を視認することができるように、少なくともその中央部がアクリル樹脂（ＰＭＭＡ）などの透明樹脂によって形成されて、表示装置３０を保護する機能を有している。
【００１７】
該爪部１１と該凸状部２１とによる接合構造を、図３〜６に拡大図で示す。
図３に示すように、爪部１１はケースの上部周縁部にケース上面に対し略平行に立設され、凸状部２１はカバー２０の周縁上部にカバー前面に対して所定の角度で立接されている。
さらに、該爪部１１は、爪部を拡大した図５の上面透視図、及び図５のＣ−Ｃ断面図に示すように、ケース１０の周縁部に立設される上爪部１１ａと、該上爪部１１ａに対抗する位置に設けられる載置部１１ｂと、該上爪部１１ａと載置部１１ｂとを結合する結合部１１ｃと、からなっている。
該上爪部１１ａは、その下面で、ケース側の凸状部２１の先端部２１ａの上面に当接し、該載置部１１ｂは、その上面で、該先端部２１ａの下面に当接するように構成されている。
従って、該爪部１１に対し、該凸状部２１をケースの前面開口部側から押し込むことで、両者が嵌合するようになっている。
【００１８】
凸状部２１は、図３及び図６に示すように、爪部１１内に挿入される上記した先端部２１ａと、爪部１１内に挿入されない部位とを有している。そして、該先端部２１ａは、挿入されない部位よりも若干、厚さが薄く形成されていおり、図３に示すように該接合構造をケース１０の上方から見ると、爪部１１と凸状部２１の接合状態においては、そのように薄く形成された分、爪部１１が凸状部２１の表面から陥没して接合されるように構成されている。
【００１９】
図３、及び図４に示すように、爪部１１とその爪部１１との間に位置し、爪部１１内に挿入されない部位（接着部２３）は、図４にＢ−Ｂ断面図で示すように、ケース１０の載置部１０ａに連続して形成される部位に当接され、点線で示す融着部位２２において、ケース１０とカバー２０の接着がなされる。該接着部２３とケース１０との接着については、後に詳述する。
【００２０】
爪部１１の上方からの透視図である図５、及び図５のＣ−Ｃ断面図である図６に示すように、カバー２０側の凸状部２１の先端部２１ａは、ケース１０側の爪部１１の上爪１１ａと載置部１１ｂとにより狭持されている。
また、図５及び図６の点線部で示すように、載置部１１ｂの略中央部には、結合部１１ｃから載置部１１ｂの先端まで、先端に向かって幅広になるように、溝状に切り欠き部１１ｂ'が設けられている。
該切り欠き部１１ｂ'は、凸状部２１の先端部２１ａの下面によって蓋がされた状態となって空間部（第１通路）４０が形成されている。また、図６に示すように、載置部１１ｂの先端とカバー２０の内壁との間には、間隙ｅ'が形成されている。
したがって、該第１通路４０は、該間隙ｅ'がケース１０内の内部空間に連通する連通口をとして機能するので、ケース１０内の内部空間と連通することとなる。
【００２１】
また、該先端部２１ａの先端部前面２１ｂは、爪部１１の結合部１１ｃとの間で、空間部（第２通路）４１を形成している。該第２通路４１は、図３及び図５に示すように、その端部にケース１０の外部空間と連通する連通口ｅを有している。
このように第１通路４０に対し交差する方向に第２通路４１が形成されたうえで、図８に示すように、これら該第１通路４０と第２通路４１とを連結する連結流路４２が設けられている。  
【００２２】
従って、ケース内部空間に臨む間隙ｅ'と外部空間に臨む連通口ｅとは、第１通路４０、連結流路４２及び第２通路４１により、互いに連通することとなる。
このため、図７及び図８に点線の矢印で示すように、爪部１１の側部に開口している連通口ｅから流入する空気は、一旦、図８の紙面に垂直方向（図７では、紙面に平行に左方向）に第２通路４１を通り、次に点ｘで図７における紙面に対し向こう側に向きを変えて（図８では、紙面に平行に下降して）連結流路４２に進入し、更に点ｙで図８の紙面に平行に向きを変えて第１通路４０に進入し、最後に点ｚで図８の紙面に平行に向きを変えて下降して間隙ｅ'（連通口ｅ'）を通過することにより、ようやくケース１０の内部空間に到達する。
このように、連通口ｅからケース内部に流入しようとする空気は、方向転換点ｘ、ｙ、ｚを通過せねばならず、しかもその通路の経路長は、ケース１０やカバー２０の厚さに関係なく、従来の経路長ｐ（２ないし２．５ｍｍ）よりも極めて長くなる。
本実施の形態によれば、１０〜１２ｍｍ以上に形成することができる。  
【００２３】
また、このように各通路や間隙、特に第２通路４１は、先端部前面２１ｂと結合部１１ｃとの間で形成されるので、ケース１０に対しカバー２０を精確に位置決めして、固定する必要がある。
このため、本実施の形態では、カバー２０を所定位置に固定する固定治具を用意し、該固定治具に対してケース１０を位置決めするように仮固定して、空間部４１（即ち、第２通路４１）や間隙ｅ’（即ち、連通口ｅ’）を確保する。
次に、そのように仮固定されたカバー２０とケース１０に対し、レーザー融着装置によって、図３、及び図４に示す接着部２３の融着部位２２をターゲットに融着を行うことで両部材を接着し、本固定を行う。
このように本固定を行った後、該固定治具から両部材を取り外し、接着を終了させる。
この実施の形態においてはレーザー融着装置を使用したが、レーザー融着によらずに振動融着（超音波融着等）等の他の接着方法を任意に採用することができる。
【００２４】
このように構成された接合構造は、図１に示すように、内部に表示装置を有するディスプレイ装置の最上面に位置するようにされ、更に、図２に示すように、該ディスプレイ装置の下部に、ディスプレイ装置内に外気を取り入れる空気取り入れ口１２が設けられる。
なお、この空気取り入れ口１２の構造についても、塵埃が直接ケース内に侵入しないように、ケース内までの経路中に、いくつかの屈曲点を有する流路を形成することが好ましい。
【００２５】
このように、この第１の実施の形態によれば、ケース１０の内外を連結する経路は、その経路長を長く取れるとともに、少なくとも３カ所の方向転換点を有するので、空気や蒸気は容易に通過することができるが、該接合構造が装置の上面に設けられるとしても、塵埃がケース内に入り込むには困難な経路となっている。
したがって、本発明においては、ケース内部での曇り止め機能を損ねることなく、ケース内部への塵埃の侵入のない結合構造を提供することができる。
【００２６】
また、切り欠き部１１ｂ'は、結合部１１ｃから載置部１１ｂの先端まで、先端に向かって幅広になるように構成されているので、ケース１０を樹脂成型で作製する場合、成型後に型枠から取り外すときに、容易に取り外すことが可能になる。
【００２７】
また、この接合構造は、表示装置３０を内蔵するディスプレイの最上面に位置するように構成するとともに、下部に空気取り入れ口１２を有するので、ディスプレイ装置内の空気は、ディスプレイ装置下部の該空気取り入れ口１２から上部の接合構造の通路へと換気される。特に、表示装置が発する熱によりディスプレイ装置の内部の空気が暖められると、暖められた空気は上部の該接合構造から外部に排出されて、下部の空気取り入れ口１２から外気が侵入することとなり、このような換気が一層促進される。
このように換気構造を構成することにより、ディスプレイ装置内部の曇り止めを確実に実行することができるとともに、接合構造が装置上面にあったとしても塵埃の侵入を防止することができる。
【００２８】
さらに、このようにケース１０の内外を連結する経路をケース１０とカバー２０とを固定する爪部１１の内部に設けたことから、長い経路長となる流路を設けるためだけの専用の突起などの新たな造形が不要である。したがって、製品の外観が変更されることがないので、ディスプレイ装置の既存のスペースにそのまま導入することができる。
【００２９】
次に、本発明の第２の実施の形態を説明する。
上記した第１の実施の形態では、爪部１１がケース１０側に、凸状部２１がカバー２０側に形成されていたが、該第２の実施の形態では、これとは反対に、爪部１１をカバー２０側に、凸状部２１をケース１０側に形成する。このようにした場合のそれぞれの部位の構成は前記第１の実施の形態におけるそれと同様なので、図面は省略する。
このように構成しても、第１の実施の形態と同様、塵埃の侵入防止とともに曇り止めの効果を同様に奏することができる。
【００３０】
次に、本発明の第３の実施の形態を説明する。
上記した第１の実施の形態では、第１通路の形成は、爪部１１の載置部１１ｂの上部に切り欠き部１１ｂ'を設けることで行ったが、本第３の実施の形態では、図９に示すように、凸状部２１の先端部２１ａの下部に切欠部２１ａ’を設けて、該切欠部２１ａ’と載置部１１ｂの上面とで空間部を構成し、該空間部を第１通路として構成する。
このように構成しても、ケース内部空間に臨む間隙ｅ'と外部空間に臨む連通口ｅとは、第１通路４０→連結流路４２→第２通路として、互いに連通することができるので、第１の実施の形態と同様、塵埃の侵入防止とともに曇り止めの効果を同様に奏することができる。
【００３１】
上記したように、第１通路が、前記凸状部の先端部の下面に設けられる切欠部２１ａ’と前記載置部１１ｂの上面とにより形成する場合には、図１０に示すように、該切欠部２１ａ’は前記先端部２１ｂの方向に向けて末広がりに形成することが好ましい。
このように形成すると、カバー２０を樹脂成形する際に、成型後に型枠から取り外すときに、容易に取り外すことが可能になる。
【００３２】
次に、本発明の第４の実施の形態を説明する。
上記した第１の実施の形態では、カバー２０側に設けた凸状部２１は、爪部１１内に嵌合する先端部２１ａを有する部位と、ケース１０の上方周縁部に接着される接着部２３とが、一体に形成されている。
しかしながら、本第３の実施の形態では、先端部２１ａと接着部２３とを一体に構成せずに、図１１に示すように、それらを別々に構成する。つまり、爪部１１が設けられている位置に対応して、先端部２１ａを有する凸状部２１を設け、爪部１１が設けられておらず接着が必要な位置に対応して、接着部２３を設ける。
このように構成することにより、第１の実施の形態におけるよりも、接着が必要な場所、あるいはレーザー融着が容易な場所に接着部２３を設けることができるので、接着の自由度を向上することができる。
【図面の簡単な説明】
【００３３】
【図１】本発明の第１の実施の形態におけるディスプレイ装置の斜視図。
【図２】本発明の第１の実施の形態におけるディスプレイ装置の分解図。
【図３】本発明の第１の実施の形態における図１の接合部位ｂの斜視拡大図。
【図４】本発明の第１の実施の形態おける図３のＢ−Ｂ断面図。
【図５】本発明の第１の実施の形態における爪部の上方からの透視図。
【図６】本発明の第１の実施の形態における図５のＣ−Ｃ断面図。
【図７】本発明の第１の実施の形態における図５の空気流入経路の説明図。
【図８】本発明の第１の実施の形態における図６の空気流入通路の説明図。
【図９】本発明の第３の実施の形態における図１０のＤ−Ｄ断面図。
【図１０】本発明の第３に実施の形態における爪部の上方からの透視図。
【図１１】本発明の第４の実施の形態における接合部位ｂの斜視拡大図。
【図１２】従来例に係るディスプレイ装置の斜視図。
【図１３】従来例に係る図９の接合部ａでのケース側の拡大図。
【図１４】従来例に係る接合部の、図１０のＡ−Ａ位置での断面図。
【符号の説明】
【００３４】
１０    ケース
１１    爪部
１１ａ  上爪
１１ｂ  載置部
１１ｃ  結合部
１１ｂ'切欠部
１２    空気取り入れ口
２０    カバー
２１    凸状部
２１ａ  先端部
２１ｂ  先端部前面
２２    融着部位
２３    接着部
３０    表示装置
４０    第１通路
４１    第２通路
４２    連結流路
ｅ、ｅ'連通口（間隙）
ｘ、ｙ、ｚ  方向転換点
【図１】
2010145635.tif 000003
【図２】
2010145635.tif 000004
【図３】
2010145635.tif 000005
【図４】
2010145635.tif 000006
【図５】
2010145635.tif 000007
【図６】
2010145635.tif 000008
【図７】
2010145635.tif 000009
【図８】
2010145635.tif 000010
【図９】
2010145635.tif 000011
【図１０】
2010145635.tif 000012
【図１１】
2010145635.tif 000013
【図１２】
2010145635.tif 000014
【図１３】
2010145635.tif 000015
【図１４】
2010145635.tif 000016